(57)【要約】【課題】より省電力化が可能な表示装置等を提供する。【解決手段】表示装置は、少なくとも一方向に沿って並ぶ複数の光源と、複数の画素が設けられた表示領域を有し、複数の光源からの光で照らされて画像を出力する表示部と、表示部の表示出力内容に基づいて光源の動作を制御する制御部とを備え、表示領域は、複数の光源の各々と対応付けられた複数の部分領域に区分けされ、部分領域はそれぞれ、当該部分領域と対応付けられた第１光源からの光で照らされる第１領域と、当該第１光源及び当該第１光源に隣接する第２光源からの光で照らされる第２領域とを有し、制御部は、第１領域での第１光源からの光の要否及び第２領域で第２光源からの光で表示出力に必要な光が得られるか否かに基づいて第１光源の動作を制御する。【選択図】図９
2017201392.tif 000002
【特許請求の範囲】
【請求項１】
少なくとも一方向に沿って並ぶ複数の光源と、
複数の画素が設けられた表示領域を有し、前記複数の光源からの光で照らされて画像を出力する表示部と、
前記表示部の表示出力内容に基づいて前記光源の動作を制御する制御部と、を備え、
前記表示領域は、前記複数の光源の各々と対応付けられた複数の部分領域に区分けされ、
前記部分領域はそれぞれ、当該部分領域と対応付けられた第１光源からの光で照らされる第１領域と、当該第１光源及び当該第１光源に隣接する第２光源からの光で照らされる第２領域とを有し、
前記制御部は、前記第１領域での前記第１光源からの光の要否及び前記第２領域で前記第２光源からの光で表示出力に必要な光が得られるか否かに基づいて前記第１光源の動作を制御する
表示装置。
【請求項２】
前記制御部は、前記第１領域で前記第１光源からの光が不要であって、かつ、前記第２領域で前記第２光源からの光で表示出力に必要な光が得られる場合に当該第１光源を消灯する
請求項１に記載の表示装置。
【請求項３】
前記制御部は、前記第２領域で必要な光の輝度と所定の閾値との比較結果に基づいて前記第２光源の動作を制御する
請求項１又は２に記載の表示装置。
【請求項４】
前記第２領域で必要な光の輝度をＬ２＿ｌｑとし、前記第２光源と対応付けられた前記第１領域で必要な光の輝度をＬ１＿ｃｑとし、Ｌ１＿ｃｑに０以上１以下の第１係数を乗じた第１閾値をＴ１とし、当該第２光源の点灯による当該第１領域の輝度をＢＬ１とした場合、前記制御部は、式（１）が成立するとき、式（２）によって求められた輝度となるよう当該第２光源を点灯させる
請求項３に記載の表示装置。
Ｌ２＿ｌｑ≧Ｔ１…（１）
ＢＬ１＝Ｌ１＿ｃｑ×（Ｌ２＿ｌｑ／Ｔ１）…（２）
【請求項５】
Ｌ１＿ｃｑに０以上１以下であって前記第１係数よりも大きい第２係数を乗じた第２閾値をＴ２とした場合、前記制御部は、式（３）が成立するとき、式（２）によって求められた輝度となるよう当該第２光源を点灯させる
請求項４に記載の表示装置。
Ｌ２＿ｌｑ≦Ｔ２…（３）
【請求項６】
前記第２光源の最大輝度をＴ３とした場合、前記制御部は、式（２）によって求められた輝度について式（４）が成立するとき、当該輝度を式（５）によって更新する
請求項４又は５に記載の表示装置。
ＢＬ１＞Ｔ３…（４）
ＢＬ１＝Ｔ３…（５）
【請求項７】
前記第２係数をＣｏｅｆ２とし、前記第１光源の点灯による前記第２領域の輝度をＢＬ２とした場合、前記制御部は、式（６）によって求められた輝度となるよう前記第１光源を点灯させる
請求項５に記載の表示装置。
ＢＬ２＝Ｌ２＿ｌｑ−（Ｔ３×Ｃｏｅｆ２）…（６）
【請求項８】
前記第２光源の最大輝度をＴ３とし、前記第１光源の点灯による前記第２領域の輝度をＢＬ２とした場合、前記制御部は、式（２）によって求められた輝度について式（４）が成立するとき、当該輝度を式（７）によって更新するとともに式（８）によって求められた輝度となるよう前記第１光源を点灯させる
請求項４又は５に記載の表示装置。
ＢＬ１＞Ｔ３…（４）
ＢＬ１＝Ｌ１＿ｃｑ…（７）
ＢＬ２＝Ｌ２＿ｌｑ…（８）
【請求項９】
前記表示装置は、
少なくとも一方向に沿って並ぶ複数の光源と、
複数の画素が設けられた表示領域を有し、前記複数の光源からの光で照らされて画像を出力する表示部と、
前記表示部の表示出力内容に基づいて前記光源の動作を制御する制御部と、を備え、
前記表示領域は、前記複数の光源の各々と対応付けられた複数の部分領域に区分けされ、
前記部分領域はそれぞれ、当該部分領域と対応付けられた第１光源からの光で照らされる第１領域と、当該第１光源及び当該第１光源に隣接する第２光源からの光で照らされる第２領域とを有し、
前記駆動方法は、
前記第１領域での前記第１光源からの光の要否及び前記第２領域で前記第２光源からの光で表示出力に必要な光が得られるか否かに基づいて前記第１光源の動作を制御する
を有する
表示装置の駆動方法。
【請求項１０】
前記第１領域で前記第１光源からの光が不要であって、かつ、前記第２領域で前記第２光源からの光で表示出力に必要な光が得られる場合に当該第１光源を消灯する
請求項９に記載の表示装置の駆動方法。
【請求項１１】
前記第２領域で必要な光の輝度と所定の閾値との比較結果に基づいて前記第２光源の動作を制御する
請求項９又は１０に記載の表示装置の駆動方法。
【請求項１２】
前記第２領域で必要な光の輝度をＬ２＿ｌｑとし、前記第２光源と対応付けられた前記第１領域で必要な光の輝度をＬ１＿ｃｑとし、Ｌ１＿ｃｑに０以上１以下の第１係数を乗じた第１閾値をＴ１とし、当該第２光源の点灯による当該第１領域の輝度をＢＬ１とした場合、式（１）が成立するとき、式（２）によって求められた輝度となるよう当該第２光源を点灯させる
請求項１１に記載の表示装置の駆動方法。
Ｌ２＿ｌｑ≧Ｔ１…（１）
ＢＬ１＝Ｌ１＿ｃｑ×（Ｌ２＿ｌｑ／Ｔ１）…（２）
【請求項１３】
Ｌ１＿ｃｑに０以上１以下であって前記第１係数よりも大きい第２係数を乗じた第２閾値をＴ２とした場合、式（３）が成立するとき、式（２）によって求められた輝度となるよう当該第２光源を点灯させる
請求項１２に記載の表示装置の駆動方法。
Ｌ２＿ｌｑ≦Ｔ２…（３）
【請求項１４】
前記第２光源の最大輝度をＴ３とした場合、式（２）によって求められた輝度について式（４）が成立するとき、当該輝度を式（５）によって更新する
請求項１２又は１３に記載の表示装置の駆動方法。
ＢＬ１＞Ｔ３…（４）
ＢＬ１＝Ｔ３…（５）
【請求項１５】
前記第２係数をＣｏｅｆ２とし、前記第１光源の点灯による前記第２領域の輝度をＢＬ２とした場合、前記制御部は、式（６）によって求められた輝度となるよう前記第１光源を点灯させる
請求項１３に記載の表示装置の駆動方法。
ＢＬ２＝Ｌ２＿ｌｑ−（Ｔ３×Ｃｏｅｆ２）…（６）
【請求項１６】
前記第２光源の最大輝度をＴ３とし、前記第１光源の点灯による前記第２領域の輝度をＢＬ２とした場合、式（２）によって求められた輝度について式（４）が成立するとき、当該輝度を式（７）によって更新するとともに式（８）によって求められた輝度となるよう前記第１光源を点灯させる
請求項１２又は１３に記載の表示装置の駆動方法。
ＢＬ１＞Ｔ３…（４）
ＢＬ１＝Ｌ１＿ｃｑ…（７）
ＢＬ２＝Ｌ２＿ｌｑ…（８）
【発明の詳細な説明】
【技術分野】
【０００１】
本発明は、表示装置及び表示装置の駆動方法に関する。
【背景技術】
【０００２】
バックライト等の光源装置を複数の領域に分割し、該分割した領域の映像信号に応じて領域毎に光源の発光を制御するローカルディミング機能を備えた表示装置が知られている（例えば特許文献１）。
【先行技術文献】
【特許文献】
【０００３】
【特許文献１】特開２０１３−２４６４２６号公報
【発明の概要】
【発明が解決しようとする課題】
【０００４】
省電力の観点から、光源を消灯しても映像出力に差し支えない領域では光源を消灯することが望ましい。しかしながら、従来は、分割した領域の各々で光源からの光が必要な映像出力（例えば、黒以外の色を１画素以上含む映像出力）が行われる場合、その領域に対応する光源からの光でその領域の必要輝度を確保する制御が行われており、省電力化が困難であった。
【０００５】
本発明は、上記の課題に鑑みてなされたもので、より省電力化が可能な表示装置及び表示装置の駆動方法を提供することを目的とする。
【課題を解決するための手段】
【０００６】
本発明の一態様による表示装置は、少なくとも一方向に沿って並ぶ複数の光源と、複数の画素が設けられた表示領域を有し、前記複数の光源からの光で照らされて画像を出力する表示部と、前記表示部の表示出力内容に基づいて前記光源の動作を制御する制御部とを備え、前記表示領域は、前記複数の光源の各々と対応付けられた複数の部分領域に区分けされ、前記部分領域はそれぞれ、当該部分領域と対応付けられた第１光源からの光で照らされる第１領域と、当該第１光源及び当該第１光源に隣接する第２光源からの光で照らされる第２領域とを有し、前記制御部は、前記第１領域での前記第１光源からの光の要否及び前記第２領域で前記第２光源からの光で表示出力に必要な光が得られるか否かに基づいて前記第１光源の動作を制御する。
【０００７】
他の態様にかかる表示装置の駆動方法において、前記表示装置は、少なくとも一方向に沿って並ぶ複数の光源と、複数の画素が設けられた表示領域を有し、前記複数の光源からの光で照らされて画像を出力する表示部と、前記表示部の表示出力内容に基づいて前記光源の動作を制御する制御部と、を備え、前記表示領域は、前記複数の光源の各々と対応付けられた複数の部分領域に区分けされ、前記部分領域はそれぞれ、当該部分領域と対応付けられた第１光源からの光で照らされる第１領域と、当該第１光源及び当該第１光源に隣接する第２光源からの光で照らされる第２領域と、を有し、前記駆動方法は、前記第１領域での前記第１光源からの光の要否及び前記第２領域で前記第２光源からの光で表示出力に必要な光が得られるか否かに基づいて前記第１光源の動作を制御する。
【図面の簡単な説明】
【０００８】
【図１】図１は、本発明の一実施形態に係る表示装置の主要構成を示す概略図である。
【図２】図２は、本実施形態に係る表示部のシステム構成例を表すブロック図である。
【図３】図３は、本実施形態に係る表示部の画素を駆動する駆動回路を示す回路図である。
【図４】図４は、表示領域の区分けの一例を示す図である。
【図５】図５は、光源部が有する複数の光源と複数の部分領域との対応関係の一例を示す図である。
【図６】図６は、１つの部分領域が有する第１領域と第２領域とを例示する模式図である。
【図７】図７は、一方向に連続する４つの部分領域の輝度分布と１つの部分領域で求められる必要輝度との関係の一例を示すグラフである。
【図８】図８は、第１光源の点灯制御に関する処理の一例を示すフローチャートである。
【図９】図９は、１つの部分領域の第２領域に必要な輝度が、当該１つの部分領域と対応付けられた光源と隣接する光源からの光で確保される場合の一例を示すグラフである。
【図１０】図１０は、第２領域で必要な光の輝度と所定の閾値との関係の一例を示すグラフである。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
図１は、本発明の一実施形態に係る表示装置１の主要構成を示す概略図である。表示装置１は、例えば、光源装置として機能する光源部６、光源部６からの光Ｌを光源として画像を出力する表示部２等を有する。光源部６から発せられた光Ｌは、表示部２、鏡Ｍ及びフロントガラスＦＧにより反射されてユーザＨに到達することで、ユーザの視界内で画像ＶＩとして認識される。すなわち、本実施形態の表示装置１は、鏡Ｍ、フロントガラスＦＧを用いたヘッドアップディスプレイ（Head-Up  Display：ＨＵＤ）として機能する。
【００１１】
次に、表示部２について説明する。本実施形態の表示部２は、光Ｌを光源として画像を出力する透過型の液晶ディスプレイであるが、反射型の液晶ディスプレイ、デジタル・マイクロミラー・デバイス（Digital  Micromirror  Device：ＤＭＤ（登録商標））等であってもよい。
【００１２】
図２は、本実施形態に係る表示部２のシステム構成例を表すブロック図である。図３は、本実施形態に係る表示部２の画素Ｐｉｘを駆動する駆動回路を示す回路図である。画素Ｐｉｘは、複数の副画素Ｖｐｉｘを含む。表示部２は、例えば透過型の液晶ディスプレイであり、画像出力パネルと、駆動素子３、例えば、ＤＤＩＣ（Display  Driver  Integrated  Circuit）を備えている。
【００１３】
画像出力パネルは、例えば、透光性絶縁基板、例えばガラス基板と、ガラス基板の表面にあり、液晶セルを含む画素Ｐｉｘ（図３参照）がマトリクス状（行列状）に多数配置されてなる表示領域２１を有する。ガラス基板は、能動素子（例えば、トランジスタ）を含む多数の画素回路がマトリクス状に配置形成される第１の基板と、この第１の基板と所定の間隙をもって対向して配置される第２の基板とによって構成される。第１の基板と第２の基板との間隙は、第１の基板上の各所に配置形成されるフォトスペーサによって所定の間隙に保持される。そして、これら第１の基板及び第２の基板間に液晶が封入される。なお、図２に示す各部の配置及び大きさは模式的なものであり、実際の配置等を反映したものでない。
【００１４】
表示領域２１は、液晶層を含む副画素ＶｐｉｘがＭ行×Ｎ列に配置されたマトリクス（行列状）構造を有している。なお、この明細書において、行とは、一方向に配列されるＮ個の副画素Ｖｐｉｘを有する画素行をいう。また、列とは、行が延在する方向と直交する方向に配列されるＭ個の副画素Ｖｐｉｘを有する画素列をいう。そして、ＭとＮとの値は、垂直方向の解像度と水平方向の解像度に応じて定まる。表示領域２１には、副画素ＶｐｉｘのＭ行Ｎ列の配列に対して行毎に走査線２４１，２４２，２４３，…，２４Ｍが配線され、列毎に信号線２５１，２５２，２５３，…，２５Ｎが配線されている。以後、本実施形態においては、走査線２４１，２４２，２４３，…，２４Ｍを代表して走査線２４のように表記し、信号線２５１，２５２，２５３，…，２５Ｎを代表して信号線２５のように表記することがある。また、本実施形態においては、走査線２４１，２４２，２４３，…，２４Ｍの任意の３本の走査線を、走査線２４ｍ，２４ｍ＋１，２４ｍ＋２（ただし、ｍは、ｍ≦Ｍ−２を満たす自然数）のように表記し、信号線２５１、２５２、２５３，…，２５Ｎの任意の３本の信号線を、信号線２５ｎ，２５ｎ＋１，２５ｎ＋２（ただし、ｎは、ｎ≦Ｎ−２を満たす自然数）のように表記する。
【００１５】
駆動素子３は、例えばＣＯＧ（Chip  On  Glass）によって画像出力パネルのガラス基板上に実装された回路である。駆動素子３は、図示しないフレキシブルプリント基板（Flexible  Printed  Circuits：ＦＰＣ）を介して制御部１００と接続されている。制御部１００は、表示部２及び光源部６の動作制御を行う回路である。具体的には、制御部１００は、例えば表示制御部１０１及び光源制御部１０２として機能する。表示制御部１０１は、画素Ｐｉｘを構成する複数の副画素Ｖｐｉｘを個別に駆動するための画素信号を出力する。画素信号は、例えば、後述する赤（Ｒ）、緑（Ｇ）、青（Ｂ）、白（Ｗ）の個々の階調値を組み合わせた信号であるが、画素信号を構成する階調値と対応付けられる色の種類及び色数は、任意である。また、表示制御部１０１は、光源制御部１０２に制御された光源６ａの発光量に基づいて複数の画素のうち一部又は全部の出力階調値を制御する機能を有する。光源制御部１０２は、表示部２の表示出力内容に基づいて光源６ａの動作を制御する。具体的には、光源制御部１０２は、光源部６を構成する複数の光源６ａの動作を個別に制御する。また、制御部１００は、表示部２の動作に係り用いられる各種の信号（例えば、マスタークロック、水平同期信号、垂直同期信号等）を出力する機能を有していてもよい。係る各種の信号を出力する構成は、別個設けられてもよい。
【００１６】
本実施形態では、光源制御部１０２は、１フレーム前の表示制御部１０１が出力した画素信号に基づいて複数の光源６ａの動作を制御する所謂１フレーム遅延制御が採用されている。係る１フレーム遅延制御によって、画素信号と同一フレームで複数の光源６ａの動作を制御しようとした場合に必要になる画素信号の保持のためのバッファを省略することができる。なお、バッファを設けて画素信号と同一フレームで複数の光源６ａの動作を制御するようにしてもよい。
【００１７】
また、表示部２は、図示しない外部入力電源等と接続されている。当該外部入力電源から表示部２の動作に必要な電力が供給されている。
【００１８】
より具体的には、駆動素子３は、例えば制御部１００から与えられる各種の信号に応じて表示部２を動作させる。制御部１００は、例えば、マスタークロック、水平同期信号、垂直同期信号、画素信号、光源部６の駆動命令信号等を駆動素子３に出力する。駆動素子３は、これらの信号等に基づいてゲートドライバ及びソースドライバとして機能する。なお、ゲートドライバ又はソースドライバの一方、あるいは、その両方を、後述の薄膜トランジスタ（Thin  Film  Transistor：ＴＦＴ）を用いて基板上に形成してもよい。その場合は、当該ゲートドライバ又はソースドライバの一方あるいはその両方を、駆動素子３に電気的に接続すればよい。また、ソースドライバとゲートドライバは、それぞれ別の駆動素子３に電気的に接続されていてもよいし、同じ駆動素子３に接続されていてもよい。
【００１９】
ゲートドライバは、垂直同期信号及び水平同期信号に同期して水平同期信号に応じた１水平期間単位でデジタルデータをラッチする。ゲートドライバは、ラッチされた１ライン分のデジタルデータを垂直走査パルスとして順に出力し、表示領域２１の走査線２４（走査線２４１，２４２，２４３，…，２４Ｍ）に与えることによって副画素Ｖｐｉｘを行単位で順次選択する。ゲートドライバは、例えば、行方向について、走査線２４１，２４２，…の表示領域２１の一方端側から他方端側へ順にデジタルデータを出力する。また、ゲートドライバは、行方向について、走査線２４Ｍ，…の表示領域２１の他方端側から一方端側へ順にデジタルデータを出力することもできる。
【００２０】
ソースドライバには、例えば、画素信号に基づいて生成された画素駆動用のデータが与えられる。ソースドライバは、ゲートドライバによる垂直走査によって選択された行の副画素Ｖｐｉｘに対して、副画素毎に、若しくは複数副画素毎に、或いは全副画素一斉に、信号線２５（信号線２５１，２５２，２５３，…，２５Ｎ）を介して画素駆動用のデータを書き込む。
【００２１】
液晶ディスプレイの駆動方式として、ライン反転、ドット反転、フレーム反転などの駆動方式が知られている。ライン反転は、１ライン（１画素行）に相当する１Ｈ（Ｈは水平期間）の時間周期で映像信号の極性を反転させる駆動方式である。ドット反転は、交差する二方向（例えば、行列方向）について互いに隣接する副画素毎に映像信号の極性を交互に反転させる駆動方式である。フレーム反転は、１画面に相当する１フレーム毎に全ての副画素Ｖｐｉｘに書き込む映像信号を一度に同じ極性で反転させる駆動方式である。表示部２は、上記の各駆動方式のいずれを採用することも可能である。
【００２２】
本実施形態に係る説明では、Ｍ本の走査線２４１，２４２，２４３，…，２４Ｍの各々を包括して扱う場合、走査線２４と記載することがある。図３における走査線２４ｍ、２４ｍ＋１、２４ｍ＋２は、Ｍ本の走査線２４１，２４２，２４３，…，２４Ｍの一部である。また、Ｎ本の信号線２５１，２５２，２５３，…，２５Ｎの各々を包括して扱う場合、信号線２５と記載することがある。図３における信号線２５ｎ、２５ｎ＋１、２５ｎ＋２は、Ｎ本の信号線２５１，２５２，２５３，…，２５Ｎの一部である。
【００２３】
表示領域２１には、副画素ＶｐｉｘのＴＦＴ素子Ｔｒに画素信号を供給する信号線２５、各ＴＦＴ素子Ｔｒを駆動する走査線２４等の配線が形成されている。このように、信号線２５は、上述したガラス基板の表面と平行な平面に延在し、副画素Ｖｐｉｘに画像を出力するための画素信号に基づいて生成された画素駆動用のデータを供給する。副画素Ｖｐｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソース又はドレインの一方は信号線２５に接続され、ゲートは走査線２４に接続され、ソース又はドレインの他方は液晶素子ＬＣの一端に接続されている。液晶素子ＬＣは、一端がＴＦＴ素子Ｔｒのソース又はドレインの他方に接続され、他端が共通電極ＣＯＭに接続されている。共通電極ＣＯＭには、図示しない駆動電極ドライバによって駆動信号が印加されている。駆動電極ドライバは、駆動素子３の一構成であってもよいし、独立した回路であってもよい。
【００２４】
副画素Ｖｐｉｘは、走査線２４により、表示領域２１の同じ行に属する他の副画素Ｖｐｉｘと互いに接続されている。走査線２４は、ゲートドライバと接続され、ゲートドライバから走査信号の垂直走査パルスが供給される。また、副画素Ｖｐｉｘは、信号線２５により、表示領域２１の同じ列に属する他の副画素Ｖｐｉｘと互いに接続されている。信号線２５は、ソースドライバと接続され、ソースドライバより画素信号が供給される。さらに、副画素Ｖｐｉｘは、共通電極ＣＯＭにより、表示領域２１の同じ列に属する他の副画素Ｖｐｉｘと互いに接続されている。共通電極ＣＯＭは、不図示の駆動電極ドライバと接続され、駆動電極ドライバより駆動信号が供給される。
【００２５】
ゲートドライバは、走査線２４を介して、副画素ＶｐｉｘのＴＦＴ素子Ｔｒのゲートに垂直走査パルスを印加することにより、表示領域２１にマトリクス状に形成されている副画素Ｖｐｉｘのうちの１行（１水平ライン）を画像出力の対象として順次選択する。ソースドライバは、画素信号を、信号線２５を介して、ゲートドライバにより順次選択される１水平ラインに含まれる副画素Ｖｐｉｘにそれぞれ供給する。そして、これらの副画素Ｖｐｉｘでは、供給される画素信号に応じて、１水平ラインの画像出力が行われるようになっている。
【００２６】
上述したように、表示部２は、ゲートドライバが走査線２４を順次走査するように駆動することにより、１水平ラインが順次選択される。また、表示部２は、１水平ラインに属する副画素Ｖｐｉｘに対して、ソースドライバが信号線２５を介して画素信号を供給することにより、１水平ラインずつ画像出力が行われる。この画像出力動作を行う際、駆動電極ドライバは、その１水平ラインに対応する共通電極ＣＯＭに対して駆動信号を印加するようになっている。
【００２７】
また、表示領域２１は、カラーフィルタを有する。カラーフィルタは、格子形状のブラックマトリクス７６ａと、開口部７６ｂと、を有する。ブラックマトリクス７６ａは、図３に示すように副画素Ｖｐｉｘの外周を覆うように形成されている。つまり、ブラックマトリクス７６ａは、二次元配置された副画素Ｖｐｉｘと副画素Ｖｐｉｘとの境界に配置されることで、格子形状となる。ブラックマトリクス７６ａは、光の吸収率が高い材料で形成されている。開口部７６ｂは、ブラックマトリクス７６ａの格子形状で形成されている開口であり、副画素Ｖｐｉｘに対応して配置されている。
【００２８】
開口部７６ｂは、３色（例えばＲ（赤）、Ｇ（緑）、Ｂ（青））、又は、４色の副画素Ｖｐｉｘに対応する色領域を含む。具体的には、開口部７６ｂは、例えば、第１の色、第２の色、第３の色の一形態である赤（Ｒ）、緑（Ｇ）、青（Ｂ）の３色に着色された色領域と、第４の色（例えば、白（Ｗ））の色領域とを含む。カラーフィルタは、開口部７６ｂに例えば赤（Ｒ）、緑（Ｇ）、青（Ｂ）の３色に着色された色領域を周期的に配列する。第４の色が白（Ｗ）である場合、この白（Ｗ）の開口部７６ｂに対してカラーフィルタによる着色は施されない。第４の色が他の色である場合、第４の色として採用された色がカラーフィルタにより着色される。本実施形態では、図３に示す各副画素ＶｐｉｘにＲ、Ｇ、Ｂの３色の色領域と第４の色（例えばＷ）との計４色が１組として画素Ｐｉｘとして対応付けられている。本実施形態における１つの画素に対する画素信号は、赤（Ｒ）、緑（Ｇ）、青（Ｂ）及び第４の色（白（Ｗ））の副画素Ｖｐｉｘを有する１つの画素Ｐｉｘの出力に対応する画素信号である。本実施形態の説明では、赤（Ｒ）、緑（Ｇ）、青（Ｂ）、白（Ｗ）を単にＲ，Ｇ，Ｂ，Ｗと記載することがある。なお、画素Ｐｉｘが２色以下又は５色以上の副画素Ｖｐｉｘを含む場合は、色数に応じたデジタルデータを画像の元データに基づいて供給すればよい。
【００２９】
なお、カラーフィルタは、異なる色に着色されていれば、他の色の組み合わせであってもよい。一般に、カラーフィルタは、緑（Ｇ）の色領域の輝度が、赤（Ｒ）の色領域及び青（Ｂ）の色領域の輝度よりも高い。また、第４の色が白（Ｗ）である場合に、カラーフィルタに光透過性の樹脂を用いて白色としてもよい。
【００３０】
表示領域２１は、正面に直交する方向からみた場合、走査線２４と信号線２５がカラーフィルタのブラックマトリクス７６ａと重なる領域に配置されている。つまり、走査線２４及び信号線２５は、正面に直交する方向からみた場合、ブラックマトリクス７６ａの後ろに隠されることになる。また、表示領域２１は、ブラックマトリクス７６ａが配置されていない領域が開口部７６ｂとなる。
【００３１】
図４は、表示領域２１の区分けの一例を示す図である。表示領域２１は、複数の部分領域に区分けされる。具体的には、例えば図４に示すように、表示領域２１がＸ方向に沿ってＸ１，Ｘ２，…，Ｘ８のように８等分されるとともに、Ｙ方向に沿ってＹ１，Ｙ２，Ｙ３，Ｙ４のように４等分されるように区切られることで、８×４の部分領域が設けられる。一例として、Ｘ方向に８００個、Ｙ方向に４８０個、すなわち、８００×４８０の画素Ｐｉｘがマトリクス状に並ぶ表示領域２１の場合、図４に示す１つの部分領域は、１００×１２０の画素Ｐｉｘを有する。図４に示す例及び表示領域２１の画素数はあくまで一例であってこれに限られるものでなく、適宜変更可能である。
【００３２】
図５は、光源部６が有する複数の光源６ａと複数の部分領域との対応関係の一例を示す図である。図５に示す光源６ａの配置は、図４に示す部分領域の区切りに対応する配置である。複数の部分領域は、光源部６が有する複数の光源６ａの各々と対応付けられている。具体的には、例えば図５に示すように、複数の部分領域の各々に１つずつ光源６ａが配置されている。光源６ａは、例えば発光ダイオード（Light  Emitting  Diode:ＬＥＤ）であるが、これは光源６ａの具体的構成の一例であってこれに限られるものでなく、適宜変更可能である。また、図５では、部分領域の各々に１つずつ光源６ａが配置されているが、部分領域の各々で個別に発光量の制御が可能であり、部分領域毎の輝度を調整可能な構成であればこれに限られるものでなく適宜変更可能である。
【００３３】
なお、複数の光源６ａの各々からの光は、厳密に対応する部分領域のみに照射されるのでなく、対応する部分領域付近の部分領域にもたらされる。このため、例えば隣接する２つの部分領域に対応する２つの光源６ａが両方とも点灯している場合、当該２つの部分領域には当該２つの光源６ａの光の合成光が照射されることになり得る。
【００３４】
図６は、１つの部分領域が有する第１領域Ｃと第２領域ＸＡ，ＸＢ，ＹＡ，ＹＢ，ＸＡＹＡ，ＸＢＹＡ，ＸＡＹＢ，ＸＢＹＢとを例示する模式図である。部分領域はそれぞれ、当該部分領域と対応付けられた光源６ａ（第１光源）からの光で照らされる第１領域と、当該第１光源及び当該第１光源に隣接する光源６ａ（第２光源）からの光で照らされる第２領域とを有する。具体的には、部分領域は、例えば図６に示すように、部分領域の中央に位置する第１領域Ｃ、第１領域Ｃを挟んでＸ方向にｍ画素幅の両端側に位置する第２領域ＸＡ，ＸＢ、第１領域Ｃを挟んでＹ方向にｍ画素幅の両端側に位置する第２領域ＹＡ，ＹＢ等を有する。なお、矩形状の部分領域における四隅に位置するｍ×ｍ［画素］の第２領域ＸＡＹＡ，ＸＢＹＡ，ＸＡＹＢ，ＸＢＹＢは、独立した第２領域であってもよいし、Ｘ方向又はＹ方向について同じ位置にある第２領域の一部であってもよい。例えば、ＸＡＹＡは、独立した第２領域であってもよいし、第２領域ＸＡの一部であってもよいし、第２領域ＹＡの一部であってもよい。ｍは任意の値（自然数）であり、例えばｍ＝８である。また、Ｘ方向の両端側の第２領域ＸＡ，ＸＢの画素幅とＹ方向の両端側の第２領域ＹＡ，ＹＢの画素幅とは個別に設定可能である。
【００３５】
図７は、一方向に連続する４つの部分領域（ｎ−１），ｎ，（ｎ＋１），（ｎ＋２）の輝度分布と１つの部分領域（ｎ＋１）で求められる必要輝度との関係の一例を示すグラフである。図７及び後述する図９、図１０の横軸はＸ方向又はＹ方向のいずれかである。従来、ある１つの部分領域（例えば、部分領域（ｎ＋１））内で光源６ａからの光を必要とする出力階調値で画素Ｐｉｘが駆動される場合、当該１つの部分領域と対応付けられた光源６ａが点灯する。具体例を挙げると、例えば図７に示す×印の輝度を必要とする出力階調値で部分領域（ｎ＋１）に含まれる画素Ｐｉｘが駆動される場合、破線Ｐ２の輝度分布で示すように、部分領域（ｎ＋１）と対応付けられた光源６ａが点灯する。
【００３６】
しかしながら、例えば図７の線Ｐ１で示すように、部分領域（ｎ＋１）に隣接する領域（例えば、部分領域ｎ）と対応付けられた光源６ａが点灯することによって得られる輝度分布で部分領域（ｎ＋１）に含まれる画素Ｐｉｘに必要な輝度を確保することができる場合、部分領域（ｎ＋１）と対応付けられた光源６ａを点灯させなくともよいことになる。具体的には、部分領域ｎの光源６ａを第２光源、部分領域（ｎ＋１）の光源６ａを第１光源とすると、当該第１光源及び当該第１光源に隣接する第２光源からの光で照らされる部分領域（ｎ＋１）の第２領域については、図７における部分領域ｎ，（ｎ＋１）の関係が成り立つ。すなわち、部分領域（ｎ＋１）の第２領域で必要になる光が部分領域ｎと対応付けられた光源６ａからの光で得られる場合、必ずしも部分領域（ｎ＋１）と対応付けられた光源６ａを点灯させなくてもよい。ただし、この場合であっても、部分領域（ｎ＋１）と対応付けられた光源６ａからの光で照らされる第１領域で光が必要になるならば、部分領域（ｎ＋１）と対応付けられた光源６ａを点灯させる必要がある。
【００３７】
そこで、本実施形態では、制御部１００は、第１領域で第１光源（例えば、図７における部分領域（ｎ＋１）と対応付けられた光源６ａ）からの光の要否及び第２領域で第２光源（例えば、図７における部分領域ｎと対応付けられた光源６ａ）からの光で表示出力に必要な光が得られるか否かに基づいて第１光源の動作を制御する。具体的には、光源制御部１０２として機能する制御部１００は、第１領域で第１光源からの光が不要であって、かつ、第２領域で第２光源からの光で表示出力に必要な光が得られる場合に当該第１光源を消灯する。
【００３８】
図８は、第１光源の点灯制御に関する処理の一例を示すフローチャートである。制御部１００は、第１領域で第１光源からの光が必要であるか否か判定する（ステップＳ１）。第１領域で第１光源からの光が必要であると判定された場合（ステップＳ１；Ｙｅｓ）、制御部１００は、第１光源を点灯させる（ステップＳ２）。第１領域で第１光源からの光が必要でないと判定された場合（ステップＳ１；Ｎｏ）、制御部１００は、第２光源からの光で第２領域の表示出力に必要な光が得られるか否か判定する（ステップＳ３）。第２光源からの光で第２領域の表示出力に必要な光が得られると判定された場合（ステップＳ３；Ｙｅｓ）、制御部１００は、第１光源を消灯する（ステップＳ４）。第２光源からの光で第２領域の表示出力に必要な光が得られないと判定された場合（ステップＳ３；Ｎｏ）、制御部１００は、第１光源を点灯させる（ステップＳ２）。
【００３９】
図９は、１つの部分領域の第２領域に必要な輝度が、当該１つの部分領域と対応付けられた光源６ａと隣接する光源６ａからの光で確保される場合の一例を示すグラフである。図９における符号Ａ，Ｂの組み合わせは、第２領域ＸＡ，ＸＢの組み合わせ又は第２領域ＹＡ，ＹＢの組み合わせのいずれかである。
【００４０】
図９に示す例では、部分領域ｎの第１領域Ｌ１＿ｃで必要になる輝度ａｌに応じて、部分領域ｎと対応付けられた光源６ａが線Ｐ１で示す輝度分布となるよう点灯する。この時、部分領域（ｎ＋１）の第２領域のうち、部分領域ｎと隣接する位置の第２領域Ｌ２＿ｌで輝度ｂｌの光が必要になるとする。ここで、線Ｐ１で示す部分領域ｎと対応付けられた光源６ａからの光による輝度分布は、第２領域Ｌ２＿ｌに輝度ｂｌ以上の輝度をもたらしている。すなわち、第２領域Ｌ２＿ｌに必要な輝度は、部分領域ｎと対応付けられた光源６ａからの光によって十分確保されている。さらに、図９に示す例では、部分領域（ｎ＋１）の第１領域Ｌ２＿ｃ及び第２領域Ｌ２＿ｌ以外の第２領域で光が必要ない状態である。この場合、部分領域（ｎ＋１）は、第１領域で部分領域（ｎ＋１）と対応付けられた光源６ａからの光が不要であって、かつ、第２領域で第２光源（例えば、部分領域ｎと対応付けられた光源６ａ）からの光で表示出力に必要な光が得られる状態である。よって、光源制御部１０２は、部分領域（ｎ＋１）と対応付けられた光源６ａを消灯する。
【００４１】
より具体的には、光源制御部１０２は、例えば、輝度ｂｌと、輝度ａｌに所定の係数Ｃｏｅｆを乗じた値（ａｌ×Ｃｏｅｆ）とを比較し、ｂｌ＜（ａｌ×Ｃｏｅｆ）が成立する場合、部分領域（ｎ＋１）と対応付けられた光源６ａを消灯する。所定の係数Ｃｏｅｆは、０以上１以下の値を取り得る係数であり、ある部分領域の第１領域（例えば、第１領域Ｌ１＿ｃ）で必要になる輝度（例えば、輝度ａｌ）に応じて点灯した光源６ａによって、当該部分領域と隣接する部分領域の第２領域のうち、当該部分領域と隣接する位置の第２領域（例えば、Ｌ２＿ｌ）にもたらされる輝度を算出するための係数である。光源制御部１０２は、係数Ｃｏｅｆによらず、第１領域で必要になる輝度の大小に応じて変化しうる複数の光源６ａの各々の輝度分布を示す情報を保持し、当該情報から隣接する第２領域にもたらされる光の輝度、すなわち、上記の（ａｌ×Ｃｏｅｆ）に相当する輝度を特定するようにしてもよい。なお、各領域で必要な輝度（例えば、輝度ａｌ，ｂｌ等）は、各領域の出力階調値に応じて制御部１００が特定する。具体的には、制御部１００は、例えば、出力階調値と当該出力階調値で駆動される画素Ｐｉｘに必要な輝度とを対応付けた情報を保持している。
【００４２】
図９では、説明の簡略化を目的として１つの部分領域（第２領域Ｌ２＿ｌ）と部分領域ｎと対応付けられた光源６ａとの関係に限定して説明しているが、実際には、光源制御部１０２は、各部分領域毎に全ての第２領域について同様の判定を行う。
【００４３】
まず、第２領域ＸＡＹＡ，ＸＢＹＡ，ＸＡＹＢ，ＸＢＹＢがＸ方向又はＹ方向について同じ位置にある第２領域の一部として扱われる場合について説明する。例えば、光源制御部１０２は、まず、図６に示す第１領域Ｃ及び第２領域ＸＡ，ＸＢ，ＹＡ，ＹＢに所定のフラグ値（例えば、Deepblack  Flag：ＤＦ）を所定の初期値（例えば、１）で設定する。光源制御部１０２は、第１領域Ｃに光を必要とする出力階調値の画素Ｐｉｘがあるか否か判定する。第１領域Ｃに光を必要とする出力階調値の画素Ｐｉｘがあると判定された場合、光源制御部１０２は、第１領域ＣのＤＦの値を変更する。具体的には、例えばＤＦの値を０にする。
【００４４】
また、光源制御部１０２は、第２領域ＸＡに光を必要とする出力階調値の画素Ｐｉｘがあるか否か判定する。第２領域ＸＡに光を必要とする出力階調値の画素Ｐｉｘがあると判定された場合、光源制御部１０２は、第２領域ＸＡで必要な光の輝度（例えば、輝度ｂｌ）と、第２領域ＸＡと隣接する部分領域と対応付けられた光源６ａからの光によってもたらされる輝度（例えば、ａｌ×Ｃｏｅｆ）とを比較し、当該光源６ａからの光で第２領域ＸＡに必要な輝度を十分確保することができるか否か判定する。当該光源６ａからの光で第２領域ＸＡに必要な輝度を十分確保することができないと判定された場合、光源制御部１０２は、第２領域ＸＡのＤＦの値を変更する。光源制御部１０２は、第２領域ＸＢ，ＹＡ，ＹＢについても、第２領域ＸＡと同様の判定を行い、判定結果に応じてＤＦの値を変更する。
【００４５】
光源制御部１０２は、部分領域の第１領域Ｃ及び第２領域ＸＡ，ＸＢ，ＹＡ，ＹＢに設定されたＤＦが全て初期値であるか否かチェックし、全て初期値である場合、当該部分領域と対応付けられた光源６ａを消灯する。一方、少なくとも１つのＤＦが初期値でない場合、当該部分領域と対応付けられた光源６ａを点灯する。
【００４６】
次に、第２領域ＸＡＹＡ，ＸＢＹＡ，ＸＡＹＢ，ＸＢＹＢが独立した第２領域として扱われる場合について説明する。例えば、光源制御部１０２は、まず、図６に示す第１領域Ｃ及び第２領域ＸＡ，ＸＢ，ＹＡ，ＹＢ，ＸＡＹＡ，ＸＢＹＡ，ＸＡＹＢ，ＸＢＹＢに所定のフラグ値（例えば、ＤＦ）を所定の初期値（例えば、１）で設定する。光源制御部１０２は、第１領域Ｃに光を必要とする出力階調値の画素Ｐｉｘがあるか否か判定する。第１領域Ｃに光を必要とする出力階調値の画素Ｐｉｘがあると判定された場合、光源制御部１０２は、第１領域ＣのＤＦの値を変更する。具体的には、例えばＤＦの値を０にする。
【００４７】
また、光源制御部１０２は、第２領域ＸＡに光を必要とする出力階調値の画素Ｐｉｘがあるか否か判定する。第２領域ＸＡに光を必要とする出力階調値の画素Ｐｉｘがあると判定された場合、光源制御部１０２は、第２領域ＸＡで必要な光の輝度（例えば、輝度ｂｌ）と、第２領域ＸＡと隣接する部分領域と対応付けられた光源６ａからの光によってもたらされる輝度（例えば、ａｌ×Ｃｏｅｆ）とを比較し、当該光源６ａからの光で第２領域ＸＡに必要な輝度を十分確保することができるか否か判定する。当該光源６ａからの光で第２領域ＸＡに必要な輝度を十分確保することができないと判定された場合、光源制御部１０２は、第２領域ＸＡのＤＦの値を変更する。光源制御部１０２は、第２領域ＸＢ，ＹＡ，ＹＢ，ＸＡＹＡ，ＸＢＹＡ，ＸＡＹＢ，ＸＢＹＢについても、第２領域ＸＡと同様の判定を行い、判定結果に応じてＤＦの値を変更する。
【００４８】
光源制御部１０２は、部分領域の第１領域Ｃ及び第２領域ＸＡ，ＸＢ，ＹＡ，ＹＢ，ＸＡＹＡ，ＸＢＹＡ，ＸＡＹＢ，ＸＢＹＢに設定されたＤＦが全て初期値であるか否かチェックし、全て初期値である場合、当該部分領域と対応付けられた光源６ａを消灯する。一方、少なくとも１つのＤＦが初期値でない場合、当該部分領域と対応付けられた光源６ａを点灯する。
【００４９】
光源制御部１０２は、全ての部分領域について同様の判定及び点灯制御を個別に行う。具体的には、例えば、図４に示す（Ｘ１，Ｙ４）の部分領域を初期の判定対象として、一方向（例えば、Ｘ方向）に沿って順次判定を行い、当該一方向について全ての部分領域に係る判定が完了した場合に他方向（例えば、Ｙ方向）に１つスライドする処理を順次繰り返すことで全ての部分領域についてＤＦの設定及び変更に係る判定をシーケンシャルに実行する。光源制御部１０２は、点灯制御についても、同様にシーケンシャルに実行する。
【００５０】
なお、第２領域ＸＡＹＡ，ＸＢＹＡ，ＸＡＹＢ，ＸＢＹＢが２つの隣接する部分領域と対応付けられた２つの光源６ａからの光の影響を受けることを鑑み、所定の係数Ｃｏｅｆを第２領域ＸＡＹＡ，ＸＢＹＡ，ＸＡＹＢ，ＸＢＹＢと第２領域ＸＡ，ＸＢ，ＹＡ，ＹＢとで異なる値とするようにしてもよい。また、本実施形態の部分領域が１００×１２０の画素Ｐｉｘを有するように、第２領域ＸＡ，ＸＢと第２領域ＹＡ，ＹＢとで隣接する部分領域と対応付けられた光源６ａからの光の影響の度合いが異なり得ることを鑑み、所定の係数Ｃｏｅｆを第２領域ＸＡ，ＸＢと第２領域ＹＡ，ＹＢとで異なる値とするようにしてもよい。また、複数の部分領域の各々の光源６ａの個体差等を鑑み、所定の係数Ｃｏｅｆを部分領域で個別に設定可能としてもよい。
【００５１】
以上、本実施形態によれば、第１領域での第１光源からの光の要否及び第２領域で第２光源からの光で表示出力に必要な光が得られるか否かに基づいて第１光源の動作を制御する。これによって、第１領域で第１光源からの光が不要であって、かつ、第２領域で第２光源からの光で表示出力に必要な光が得られる場合に当該第１光源を消灯することで、第１光源が点灯した場合に比して消費電力を低減することができる。よって、より省電力化が可能な表示装置を提供することができる。
【００５２】
（変形例）
以下、本発明に係る実施形態の変形例について説明する。変形例の説明に係り、実施形態と同様の構成については同じ符号を付して説明を省略することがある。光源制御部１０２として機能する制御部１００は、第２領域で必要な光の輝度と所定の閾値との比較結果に基づいて、当該第２領域を照らし得る第２光源の動作を制御するようにしてもよい。
【００５３】
図１０は、第２領域で必要な光の輝度と所定の閾値との関係の一例を示すグラフである。第２領域Ｌ２＿ｌで必要な光の輝度をＬ２＿ｌｑとし、第２光源と対応付けられた第１領域Ｌ１＿ｃで必要な光の輝度をＬ１＿ｃｑとし、Ｌ１＿ｃｑに０以上１以下の第１係数（Ｃｏｅｆ１）を乗じた第１閾値をＴ１とし、当該第２光源の点灯による当該第１領域Ｌ１＿ｃの輝度をＢＬ１とした場合、光源制御部１０２として機能する制御部１００は、式（１）が成立するとき、式（２）によって求められた輝度となるよう当該第２光源を点灯させる。より具体的には、Ｌ１＿ｃｑに０以上１以下であって第１係数よりも大きい第２係数を乗じた第２閾値をＴ２とした場合、光源制御部１０２として機能する制御部１００は、式（３）が成立するとき、式（２）によって求められた輝度となるよう当該第２光源を点灯させる。
Ｌ２＿ｌｑ≧Ｔ１…（１）
ＢＬ１＝Ｌ１＿ｃｑ×（Ｌ２＿ｌｑ／Ｔ１）…（２）
Ｌ２＿ｌｑ≦Ｔ２…（３）
【００５４】
また、第２光源の最大輝度をＴ３とした場合、式（２）によって求められた輝度について式（４）が成立するとき光源制御部１０２として機能する制御部１００が取り得る処理の設定は、複数あり得る。以下、係る設定の例を設定１、設定２、設定３の順で説明する。係る複数の設定は、いずれかを任意に採用可能である。
ＢＬ１＞Ｔ３…（４）
【００５５】
（設定１）
光源制御部１０２は、第２光源の点灯による第１領域Ｌ１＿ｃの輝度（ＢＬ１）を式（５）によって更新する。式（５）による更新が行われた場合、第２光源の輝度分布は、例えば破線Ｐ３が示す輝度分布になる。
ＢＬ１＝Ｔ３…（５）
【００５６】
（設定２）
第２係数をＣｏｅｆ２とし、第１光源の点灯による第２領域Ｌ２＿ｌの輝度をＢＬ２とした場合、光源制御部１０２は、設定１の処理に加えて、式（６）によって求められた輝度となるよう第１光源を点灯させる。
ＢＬ２＝Ｌ２＿ｌｑ−（Ｔ３×Ｃｏｅｆ２）…（６）
【００５７】
（設定３）
第１光源の点灯による第２領域Ｌ２＿ｌの輝度をＢＬ２とした場合、光源制御部１０２は、式（２）によって求められた輝度について式（４）が成立するとき、当該輝度を式（７）によって更新するとともに式（８）によって求められた輝度となるよう第１光源を点灯させる。式（８）によって求められた輝度となるよう第１光源が点灯した場合、第１光源の輝度分布は、例えば破線Ｐ４が示す輝度分布になる。
ＢＬ１＝Ｌ１＿ｃｑ…（７）
ＢＬ２＝Ｌ２＿ｌｑ…（８）
【００５８】
以上、変形例によれば、第２領域で必要な光の輝度と所定の閾値との比較結果に基づいて第２光源の動作を制御することで、より柔軟に第２領域の輝度を確保するための仕組みを実現することができる。
【００５９】
また、式（１）が成立するとき、式（２）によって求められた輝度となるよう当該第２光源を点灯させることで、定式化された輝度制御で第２光源の動作を制御して第２領域に必要な輝度を確保することができるようになり、よりシステマティックに第２領域に必要な輝度を確保するための仕組みを実現することができる。
【００６０】
また、式（３）が成立するとき、式（２）によって求められた輝度となるよう当該第２光源を点灯させることで、式（２）が採用されることがふさわしい条件をより適切に判定することができる。
【００６１】
また、設定１を採用することで、第１光源を点灯させずに得られる最大限の輝度を第２領域で確保することができる。
【００６２】
また、設定２を採用することで、第１光源の発光量を最低限に抑えながら第２領域に必要な輝度を確保することができる。
【００６３】
また、設定３を採用することで、第２光源の発光量を変更することなく第２領域に必要な輝度を確保することができる。
【００６４】
なお、設定１の場合、例えば表示制御部１０１が出力階調値を補正することで第２領域の輝度を補うようにしてもよい。例えば、第２領域で最高の輝度を必要とする画素Ｐｉｘの出力階調値が（Ｒ，Ｇ，Ｂ，Ｗ）＝（０，０，０，１００）であり、当該第２領域で必要な光の輝度（Ｌ２＿ｌｑ）と第２光源の最大輝度（Ｔ３）との比率が１．２：１である場合、表示制御部１０１は、（Ｒ，Ｇ，Ｂ，Ｗ）＝（０，０，０，１００）の出力階調値を補正して（Ｒ，Ｇ，Ｂ，Ｗ）＝（０，０，０，１００，１２０）とすることで、第２領域の輝度を補うことができる。また、同様の仕組みで、最大輝度（Ｔ３）まで引き上げられた第２光源の光で照らされる部分領域に含まれる画素Ｐｉｘの出力階調値を補正してもよい。
【００６５】
また、本実施形態において述べた態様によりもたらされる他の作用効果について本明細書記載から明らかなもの、又は当業者において適宜想到し得るものについては、当然に本発明によりもたらされるものと解される。
【００６６】
また、本発明は、以下のように記載することができる。
【００６７】
１．少なくとも一方向に沿って並ぶ複数の光源と、
複数の画素が設けられた表示領域を有し、前記複数の光源からの光で照らされて画像を出力する表示部と、
前記表示部の表示出力内容に基づいて前記光源の動作を制御する制御部と、を備え、
前記表示領域は、前記複数の光源の各々と対応付けられた複数の部分領域に区分けされ、
前記部分領域はそれぞれ、当該部分領域と対応付けられた第１光源からの光で照らされる第１領域と、当該第１光源及び当該第１光源に隣接する第２光源からの光で照らされる第２領域とを有し、
前記制御部は、前記第１領域での前記第１光源からの光の要否及び前記第２領域で前記第２光源からの光で表示出力に必要な光が得られるか否かに基づいて前記第１光源の動作を制御する
表示装置。
【００６８】
２．前記制御部は、前記第１領域で前記第１光源からの光が不要であって、かつ、前記第２領域で前記第２光源からの光で表示出力に必要な光が得られる場合に当該第１光源を消灯する
１．に記載の表示装置。
【００６９】
３．前記制御部は、前記第２領域で必要な光の輝度と所定の閾値との比較結果に基づいて前記第２光源の動作を制御する
１．又は２．に記載の表示装置。
【００７０】
４．前記第２領域で必要な光の輝度をＬ２＿ｌｑとし、前記第２光源と対応付けられた前記第１領域で必要な光の輝度をＬ１＿ｃｑとし、Ｌ１＿ｃｑに０以上１以下の第１係数を乗じた第１閾値をＴ１とし、当該第２光源の点灯による当該第１領域の輝度をＢＬ１とした場合、前記制御部は、式（１）が成立するとき、式（２）によって求められた輝度となるよう当該第２光源を点灯させる
３．に記載の表示装置。
Ｌ２＿ｌｑ≧Ｔ１…（１）
ＢＬ１＝Ｌ１＿ｃｑ×（Ｌ２＿ｌｑ／Ｔ１）…（２）
【００７１】
５．Ｌ１＿ｃｑに０以上１以下であって前記第１係数よりも大きい第２係数を乗じた第２閾値をＴ２とした場合、前記制御部は、式（３）が成立するとき、式（２）によって求められた輝度となるよう当該第２光源を点灯させる
４．に記載の表示装置。
Ｌ２＿ｌｑ≦Ｔ２…（３）
【００７２】
６．前記第２光源の最大輝度をＴ３とした場合、前記制御部は、式（２）によって求められた輝度について式（４）が成立するとき、当該輝度を式（５）によって更新する
４．又は５．に記載の表示装置。
ＢＬ１＞Ｔ３…（４）
ＢＬ１＝Ｔ３…（５）
【００７３】
７．前記第２係数をＣｏｅｆ２とし、前記第１光源の点灯による前記第２領域の輝度をＢＬ２とした場合、前記制御部は、式（６）によって求められた輝度となるよう前記第１光源を点灯させる
５．に記載の表示装置。
ＢＬ２＝Ｌ２＿ｌｑ−（Ｔ３×Ｃｏｅｆ２）…（６）
【００７４】
８．前記第２光源の最大輝度をＴ３とし、前記第１光源の点灯による前記第２領域の輝度をＢＬ２とした場合、前記制御部は、式（２）によって求められた輝度について式（４）が成立するとき、当該輝度を式（７）によって更新するとともに式（８）によって求められた輝度となるよう前記第１光源を点灯させる
４．又は５．に記載の表示装置。
ＢＬ１＞Ｔ３…（４）
ＢＬ１＝Ｌ１＿ｃｑ…（７）
ＢＬ２＝Ｌ２＿ｌｑ…（８）
【００７５】
９．表示装置の駆動方法であって、
前記表示装置は、
少なくとも一方向に沿って並ぶ複数の光源と、
複数の画素が設けられた表示領域を有し、前記複数の光源からの光で照らされて画像を出力する表示部と、
前記表示部の表示出力内容に基づいて前記光源の動作を制御する制御部と、を備え、
前記表示領域は、前記複数の光源の各々と対応付けられた複数の部分領域に区分けされ、
前記部分領域はそれぞれ、当該部分領域と対応付けられた第１光源からの光で照らされる第１領域と、当該第１光源及び当該第１光源に隣接する第２光源からの光で照らされる第２領域とを有し、
前記駆動方法は、
前記第１領域での前記第１光源からの光の要否及び前記第２領域で前記第２光源からの光で表示出力に必要な光が得られるか否かに基づいて前記第１光源の動作を制御する
を有する。
【００７６】
１０．前記第１領域で前記第１光源からの光が不要であって、かつ、前記第２領域で前記第２光源からの光で表示出力に必要な光が得られる場合に当該第１光源を消灯する、
９．に記載の表示装置の駆動方法。
【００７７】
１１．前記第２領域で必要な光の輝度と所定の閾値との比較結果に基づいて前記第２光源の動作を制御する
９．又は１０．に記載の表示装置の駆動方法。
【００７８】
１２．前記第２領域で必要な光の輝度をＬ２＿ｌｑとし、前記第２光源と対応付けられた前記第１領域で必要な光の輝度をＬ１＿ｃｑとし、Ｌ１＿ｃｑに０以上１以下の第１係数を乗じた第１閾値をＴ１とし、当該第２光源の点灯による当該第１領域の輝度をＢＬ１とした場合、式（１）が成立するとき、式（２）によって求められた輝度となるよう当該第２光源を点灯させる
１１．に記載の表示装置の駆動方法。
Ｌ２＿ｌｑ≧Ｔ１…（１）
ＢＬ１＝Ｌ１＿ｃｑ×（Ｌ２＿ｌｑ／Ｔ１）…（２）
【００７９】
１３．Ｌ１＿ｃｑに０以上１以下であって前記第１係数よりも大きい第２係数を乗じた第２閾値をＴ２とした場合、式（３）が成立するとき、式（２）によって求められた輝度となるよう当該第２光源を点灯させる
１２．に記載の表示装置の駆動方法。
Ｌ２＿ｌｑ≦Ｔ２…（３）
【００８０】
１４．前記第２光源の最大輝度をＴ３とした場合、式（２）によって求められた輝度について式（４）が成立するとき、当該輝度を式（５）によって更新する
１２．又は１３．に記載の表示装置の駆動方法。
ＢＬ１＞Ｔ３…（４）
ＢＬ１＝Ｔ３…（５）
【００８１】
１５．前記第２係数をＣｏｅｆ２とし、前記第１光源の点灯による前記第２領域の輝度をＢＬ２とした場合、前記制御部は、式（６）によって求められた輝度となるよう前記第１光源を点灯させる
１３．に記載の表示装置の駆動方法。
ＢＬ２＝Ｌ２＿ｌｑ−（Ｔ３×Ｃｏｅｆ２）…（６）
【００８２】
１６．前記第２光源の最大輝度をＴ３とし、前記第１光源の点灯による前記第２領域の輝度をＢＬ２とした場合、式（２）によって求められた輝度について式（４）が成立するとき、当該輝度を式（７）によって更新するとともに式（８）によって求められた輝度となるよう前記第１光源を点灯させる
１２．又は１３．に記載の表示装置の駆動方法。
ＢＬ１＞Ｔ３…（４）
ＢＬ１＝Ｌ１＿ｃｑ…（７）
ＢＬ２＝Ｌ２＿ｌｑ…（８）
【符号の説明】
【００８３】
１    表示装置
２    表示部
３    駆動素子
６    光源部
６ａ  光源
１００  制御部
１０１  表示制御部
１０２  光源制御部
７６ａ  ブラックマトリクス
７６ｂ  開口部
Ｃ    第１領域
ＣＯＭ  共通電極
ＦＧ  フロントガラス
Ｍ    鏡
Ｐｉｘ  画素
Ｖｐｉｘ  副画素
ＸＡ，ＸＢ，ＹＡ，ＹＢ，ＸＡＹＡ，ＸＢＹＡ，ＸＡＹＢ，ＸＢＹＢ  第２領域
【図１】
2017201392.tif 000003
【図２】
2017201392.tif 000004
【図３】
2017201392.tif 000005
【図４】
2017201392.tif 000006
【図５】
2017201392.tif 000007
【図６】
2017201392.tif 000008
【図７】
2017201392.tif 000009
【図８】
2017201392.tif 000010
【図９】
2017201392.tif 000011
【図１０】
2017201392.tif 000012